(57)【要約】【課題】使用頻度の高い物を使い勝手よく収納できる収納空間を備えた建物を提供する。【解決手段】特定床２と中間床４との間にある収納空間６と特定階１に設けられたその他の空間３とを仕切る仕切壁１３，１４の少なくとも一部が、前記収納空間６側に奥まって設けられることによって、収納空間６が前記仕切壁１３，１４の後方に位置する第１収納空間１５と、前記仕切壁１３，１４の前方に位置して、前記その他の空間３側に開口する第２収納空間１７，１８とに分割されているので、この第２収納空間１７，１８に使用頻度の高い物を収納することによって、収納空間としての使い勝手がよくなる。【選択図】図２
2005325594.tif 000002
【特許請求の範囲】
【請求項１】
特定階の一部に、中間床が前記特定階を構成する特定床の上側において設けられ、この中間床と前記特定床との間が収納空間とされた建物であって、
前記収納空間と前記特定階に設けられたその他の空間とを仕切る仕切壁の少なくとも一部が、前記収納空間側に奥まって設けられることによって、前記収納空間が前記仕切壁の後方に位置し、周囲が壁で囲まれた第１収納空間と、前記仕切壁の前方に位置して、前記その他の空間側に開口する第２収納空間とに分割されていることを特徴とする建物。
【請求項２】
請求項１に記載の建物において、
前記第２収納空間は複数設けられており、これら収納空間のうちの少なくとも一つの収納空間は異なったその他の空間側に開口していることを特徴とする建物。
【請求項３】
請求項１または２に記載の建物において、
前記第２収納空間の奥行き方向と平行な第２仕切壁が前記仕切壁と交差して設けられていることを特徴とする建物。
【請求項４】
請求項１〜３のいずれか一項に記載の建物において、
前記第１収納空間には、第３収納空間が前記第２収納空間に隣接して設けられていることを特徴とする建物。
【請求項５】
請求項１〜４のいずれか一項に記載の建物において、
前記第２収納空間に収納家具が設けられていることを特徴とする建物。
【請求項６】
請求項１〜４のいずれか一項に記載の建物において、
前記第２収納空間に設備機器が設置されていることを特徴とする建物。
【請求項７】
請求項１〜４のいずれか一項に記載の建物において、
前記第２収納空間に、移動可能な家具が設置されていることを特徴とする建物。
【請求項８】
請求項１〜７のいずれか一項に記載の建物において、
前記第２収納空間の開口部を開閉する戸が設けられていることを特徴とする建物。
【請求項９】
請求項１〜４のいずれか一項に記載の建物において、
前記第２収納空間に収納家具がその一部を前記その他の空間側に突出させて設置されており、この収納家具の突出している部分は、前記特定床から中間床より上方に連続していることを特徴とする建物。
【請求項１０】
請求項１〜９のいずれか一項に記載の建物において、
前記第１および第２収納空間の天井高は、０．９ｍ〜１．４ｍに設定されていることを特徴とする建物。
【発明の詳細な説明】
【技術分野】
【０００１】
本発明は、建物に係り、特に中間床を設け、この中間床の下方に収納空間を
【背景技術】
【０００２】
従来、住宅等において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために渋滞の収納スペースでは広さや容量が不足し、また、建物が建てられる敷地の有効利用という観点から、屋外物置等の設置は望ましくないため、その内部により大きな収納スペースを備えた建物が望まれている。
【０００３】
内部に収納スペースを備えた建物の一例として、特許文献１に記載のものが知られている。この特許文献１に記載の建物では、特定フロアと、この特定フロアの直上に位置する直上フロアとを有する建物であって、特定フロアおよび直上フロアは、それらの一部に設けられた中間床と、この中間床の下側に形成された中間床下側空間と、当該中間床の上側に形成された中間床上側空間とを備え、特定フロアの中間床上側空間の少なくとも一部と、直上フロアの中間床下側空間の少なくとも一部とが連通された吹き抜け空間が構成されており、特定フロアの中間床下側空間と、直上フロアの中間床下側空間のうち、吹き抜け空間を構成しない中間床下側空間とは、各々収納空間とされている。
【特許文献１】特開２００４−４４２１０号公報
【発明の開示】
【発明が解決しようとする課題】
【０００４】
上記のような建物では、中間床下側空間が収納空間とされているが、この収納空間は物を出し入れする出入れ口が一つであるので、収納した物は全て出入れ口から収納空間に入って取り出してこなければならないので、使用頻度が高い物を収納する場合は、使い勝手がよくない場合があった。
【０００５】
本発明は上記事情に鑑みてなされたものであり、使用頻度の高い物を使い勝手よく収納できる収納空間を備えた建物を提供することを課題としている。
【課題を解決するための手段】
【０００６】
上記課題を解決するために、請求項１に記載の発明は、例えば図１および図２に示すように、特定階１の一部に、中間床４が前記特定階１を構成する特定床２の上側において設けられ、この中間床４と前記特定床２との間が収納空間６とされた建物であって、
前記収納空間６と前記特定階１に設けられたその他の空間３とを仕切る仕切壁１３，１４の少なくとも一部が、前記収納空間６側に奥まって設けられることによって、前記収納空間６が前記仕切壁１３，１４の後方に位置し、周囲が壁で囲まれた第１収納空間１５と、前記仕切壁１３，１４の前方に位置して、前記その他の空間３側に開口する第２収納空間１７，１８とに分割されていることを特徴とする。
【０００７】
ここで、特定階とは、建物の所定の階を意味し、例えば、１階、２階、３階等の所定の階は勿論のこと、地下にある地下１階、２階等の所定の階も意味する。そして、特定床は特定階を構成する床であり、特定階が１階であれば１階床、２階であれば２階床である。
中間床は特定床の上側でかつ特定階に設けられる床であり、この中間床と特定床の間が収納空間とされる。中間床は、収納空間の高さが０．９ｍ〜１．４ｍ程度となるように、特定床の上方に設けられるのが望ましい。
前記その他の空間とは、例えば特定階に居室やキッチン、玄関等が設けられる場合は、これら居室やキッチン、玄関等のことを意味する。
「仕切壁の少なくとも一部が、前記収納空間側に奥まって設けられる」とは、例えば、収納空間が平面視矩形状をなしている場合、仕切壁も平面視矩形状をなすことになるが、その場合に、矩形を構成する４面の仕切壁のうちの少なくとも１面の仕切壁が収納空間側に奥まって設けられることや、１面の仕切壁の一部が収納空間側に奥まって設けられることを意味する。
「周囲が壁で囲まれた第１収納空間」とは、第１収納空間が壁で囲まれて閉空間となっていることを意味するが、壁には第１収納空間への出入口となる開口部が形成されていることが必要である。
【０００８】
請求項１に記載の発明によれば、前記仕切壁１３，１４の少なくとも一部が、前記収納空間６側に奥まって設けられることによって、前記収納空間６が前記仕切壁１３，１４の後方に位置する第１収納空間１５と、前記仕切壁１３，１４の前方に位置して、前記その他の空間３側に開口する第２収納空間１７，１８とに分割されているので、この第２収納空間１７，１８に使用頻度の高い物を使い勝手よく収納できる。つまり、第２収納空間１７，１８は、居室３等のその他の空間３側に開口しているので、この第２収納空間１７，１８に使用頻度の高い物を収納することによって、この物を容易に出し入れでき、よって、収納空間としての使い勝手がよくなる。
【０００９】
また、仕切壁１３，１４の少なくとも一部が、収納空間６側に奥まって設けられるが、その仕切壁１３，１４の位置を調整することによって、居室３等のその他の空間３で使用し、かつ、収納される物に応じて、使い易い最適な奥行きの第２収納空間１７，１８を設けることができる。
さらに、仕切壁１３，１４の少なくとも一部が、収納空間６側に奥まって設けられるので、中間床４が仕切壁１３，１４からオーバーハングした状態となり、よって、中間床４の大きさ、つまり、中間床４上の空間５の広さを容易に調整できる。
【００１０】
請求項２に記載の発明は、請求項１に記載の建物において、
前記第２収納空間１７，１８，１６は複数設けられており、これら収納空間のうちの少なくとも一つの収納空間１６は異なったその他の空間（玄関７）側に開口していることを特徴とする。
【００１１】
ここで、その他の空間としては、例えば、特定階に設けられた居室、キッチン、玄関、その他の部屋等が挙げられる。
【００１２】
請求項２に記載の発明によれば、複数の収納空間１７，１８，１６のうちの少なくとも一つの収納空間１６は異なったその他の空間（玄関７）側に開口しているので、その空間（玄関７）で使用する使用頻度の高い物を収納することによって、収納空間としての使い勝手がさらによくなる。
【００１３】
請求項３に記載の発明は、請求項１または２に記載の建物において、
前記第２収納空間１６，１７，１８の奥行き方向と平行な第２仕切壁２３，２０，２１が前記仕切壁１２，１３，１４と交差して設けられていることを特徴とする。
【００１４】
請求項３に記載の発明によれば、第２仕切壁２３，２０，２１が前記仕切壁１２，１３，１４と交差して設けられているので、この第２仕切壁２３，２０，２１によって第２収納空間１６，１７，１８をその幅方向に区画できる。また、第２仕切壁１２，１３，１４が袖壁としても機能するので、中間床４を支持する構造耐力上も有効である。
【００１５】
請求項４に記載の発明は、請求項１〜３のいずれか一項に記載の建物において、
前記第１収納空間１５には、第３収納空間２４が前記第２収納空間１６に隣接して設けられていることを特徴とする。
【００１６】
請求項４に記載の発明によれば、第３収納空間２４が第２収納空間１６に隣接して設けられているので、第１収納空間１５の内壁面に形成される凹所を第３収納空間２４として有効利用できる。つまり、第１収納空間１５の内壁面に、所定大きさの第３収納空間２４を設けることができ、第１収納空間１５に収納する物を第３収納空間２４に分別して収納できる。
【００１７】
請求項５に記載の発明は、例えば図７に示すように、請求項１〜４のいずれか一項に記載の建物において、
前記第２収納空間１７に収納家具６１が設けられていることを特徴とする。
【００１８】
請求項５に記載の発明によれば、第２収納空間１７に収納家具６１が設けられているので、第２収納空間１７に収納する複数の物を整理整頓して収納家具６１に収納できる。また、第２収納空間１７に収納家具６１が設けられることによって、この収納家具１６は壁面埋込み型となるので、この収納家具６１を、前記その他の空間（居間３）に設置しなくても、その他の空間（居間３）側から使用できる。
【００１９】
請求項６に記載の発明は、例えば図８に示すように、請求項１〜４のいずれか一項に記載の建物において、
前記第２収納空間１７に設備機器（流し台）６２が設置されていることを特徴とする。
【００２０】
ここで、設備機器としては、例えば、流し台、ＡＶ（オーディオ、ビデオ）機器、エアーコンディショナー等が挙げられる。
【００２１】
請求項６に記載の発明によれば、第２収納空間１７に設備機器６２が設置されているので、この設備機器６２を、前記その他の空間に設置しなくてもよく、よって、その他の空間がスッキリとしたものとなる。
【００２２】
請求項７に記載の発明は、例えば図９に示すように、請求項１〜４のいずれか一項に記載の建物において、
前記第２収納空間１７に、移動可能な家具（ベッド）６３が設置されていることを特徴とする。
【００２３】
移動可能な家具とは、例えば、平行移動または回転移動可能な家具のことを意味する。平行移動可能な家具としては、例えば、キャスター付きのベッド、キャスター付きの収納家具等が挙げられる。回転移動可能な家具としては、例えば、立て起こすことによって第２収納空間に納まり、その状態から寝かすようにして回転させることによって、少なくとも一部が第２収納空間から出るベッドや、机等が挙げられる。
【００２４】
請求項７に記載の発明によれば、第２収納空間１７に、移動可能な家具６３が設置されているので、第２収納空間１７から家具６３をその他の空間側に移動させて、この空間で使用でき、また、使用後は家具６３を第２収納空間１７に容易に収納できる。
【００２５】
請求項８に記載の発明は、請求項１〜７のいずれか一項に記載の建物において、
前記第２収納空間の開口部を開閉する戸が設けられていることを特徴とする。
【００２６】
請求項８に記載の発明によれば、戸によって第２収納空間の開口部を閉じることによって、第２収納空間の内部を隠すことができる。
【００２７】
請求項９に記載の発明は、例えば図１０に示すように、請求項１〜４のいずれか一項に記載の建物において、
前記第２収納空間１７に収納家具６４がその一部を前記その他の空間（居間３３）側に突出させて設置されており、この収納家具６４の突出している部分は、前記特定床３２から中間床３４より上方に連続していることを特徴とする。
【００２８】
請求項９に記載の発明によれば、収納家具６４を特定床３２と中間床３４の双方の床上から使用できる。また、その他の空間（居間３３）側から見ると、収納家具６４の前面が面一でありながら奥行きの異なる２種類の収納を設けることができる。
【００２９】
請求項１０に記載の発明は、例えば図１および図２に示すように、請求項１〜９のいずれか一項に記載の建物において、
前記第１収納空間１５および第２収納空間１７，１８の天井高は、０．９ｍ〜１．４ｍに設定されていることを特徴とする。
【００３０】
請求項１０に記載の発明によれば、第１収納空間１５および第２収納空間１７，１８の天井高を、０．９ｍ〜１．４ｍに設定したので、人が第１収納空間１５および第２収納空間１７，１８に入って、何とか作業ができる最低限の高さを確保でき、また、このように天井高を必要最小限に抑えることで、建物の高さが高くなることで隣接する建物に日照減少等の影響を極力少なくすることができる。
【発明の効果】
【００３１】
本発明によれば、収納空間と特定階に設けられたその他の空間とを仕切る仕切壁の少なくとも一部が、前記収納空間側に奥まって設けられることによって、前記収納空間が前記仕切壁の後方に位置し、周囲が壁で囲まれた第１収納空間と、前記仕切壁の前方に位置して、前記その他の空間側に開口する第２収納空間とに分割されているので、この第２収納空間に使用頻度の高い物を使い勝手よく収納できる。つまり、第２収納空間は、居室等のその他の空間側に開口しているので、この第２収納空間に使用頻度の高い物を収納することによって、この物を容易に出し入れでき、よって、収納空間としての使い勝手がよくなる。
また、仕切壁の少なくとも一部が、収納空間側に奥まって設けられるが、その仕切壁の位置を調整することによって、居室等のその他の空間で使用し、かつ、収納される物に応じて、使い易い最適な奥行きの第２収納空間を設けることができる。
さらに、仕切壁の少なくとも一部が、収納空間側に奥まって設けられるので、中間床を仕切壁からオーバーハングさせた状態となるので、中間床の大きさ、つまり、中間床上の空間の広さを容易に調整できる。
【発明を実施するための最良の形態】
【００３２】
以下、図面を参照して、本発明の実施の形態について説明する。
（第１の実施の形態）
図１および図２は、本発明に係る建物の第１実施形態を示すものであり、図１は建物の縦断面図、図２は建物の１階の平面図である。
【００３３】
図１および図２に示すように、建物は２階建ての住宅であり、例えば周知のパネル工法によって構築されている。
本実施の形態では、１階を特定階１としており、この特定階１を構成する１階の床を特定床２としている。特定階（１階）１には、左側に居間３が設けられており、右側に中間床４が設けられている。中間床４は、建物の略右側半分において、特定床１の上側に設けられている。この中間床４上には、居室５が設けられている。また、中間床４と特定床２との間は収納空間６とされ、この収納空間６の高さは０．９ｍ〜１．４ｍ程度とされている。また、特定階１には、図２に示すように、収納空間６を挟んで、玄関７と階段室８とが対向して設けられている。玄関７には、外部との出入口を開閉する玄関扉７ａと、玄関ホールと居間３との出入口を開閉する開閉扉７ｂが設けられている。また、階段室８には１階床である特定床１と２階床９との間に階段８ａが設けられている。
【００３４】
前記収納空間６は、図２に示すように、平面視矩形状に形成されており、外部との境界にある仕切壁１０と、階段室８との境界にある仕切壁１１と、玄関７との境界にある仕切壁１２と、居間３との境界にある仕切壁１３，１４とによって、外部や居間３、玄関７、階段室８と仕切られている。
前記仕切壁１２の一部１２ａは、収納空間６側に奥まって設けられており、これによって、収納空間６は仕切壁１２の後方に位置する第１収納空間１５と、仕切壁１２の前方に位置して、前記玄関（その他の空間）７側に開口する第２収納空間１６とに分割されている。第１収納空間１５は周囲が壁に囲まれた閉空間であり、壁は前記仕切壁１０〜１４やその他の壁（例えば後述する第２仕切壁２０，２１，２４等）によって構成されている。
【００３５】
また、前記仕切壁１３，１４は、収納空間６側に奥まって設けられており、これによって、収納空間６は仕切壁１３，１４の後方に位置する前記第１収納空間１５と、仕切壁１３，１４の前方に位置して、前記居間（その他の空間）３側に開口する第２収納空間１７，１８とに分割されている。また、前記仕切壁１３，１４はほぼ面一に設けられており、これら仕切壁１３，１４の端部には、第２収納空間１３，１４の奥行き方向と平行な第２仕切壁２０，２１が前記仕切壁１３，１４と直角に交差して設けられている。
これら第２仕切壁２０，２１間は、第１収納空間１５への出入口とされ、この出入口を開閉する引戸２２が仕切壁１３に沿って移動可能に設けられている。
また、前記仕切壁１２の一部１２ａの端部には、第２収納空間１６の奥行き方向と平行な第２仕切壁２３が仕切壁１２の一部１２ａと直角に交差して設けられている。
さらに、第１収納空間１５には、第３収納空間２４が前記第２収納空間１６に隣接して設けられている。
【００３６】
前記居間３の天井と居室５の天井とは等しい高さに位置しており、これによって、居室５は中間床４上にある分、天井高の低い和室等に向いた部屋となり、居間３は比較的天井高の高い広がりのある空間となっている。また、居室５には、例えば、階段８ａの途中にある踊り場から出入りできるようにしてもよいし、特定床２と中間床４との間に別途階段を設け、この階段によって出入りできるようにしてもよい。
また、特定階（１階）の上にある２階には、適宜居室等が設けられている。なお、この２階も特定階とし、この特定階を構成する２階床９を特定床とし、中間床を特定階を構成する特定床９の上側において設け、この中間床と特定床９との間を収納空間としてもよい。
【００３７】
本実施の形態の建物によれば、前記仕切壁１３，１４，１２の少なくとも一部が、収納空間６側に奥まって設けられることによって、収納空間６が前記仕切壁１３，１４，１２の後方に位置する第１収納空間１５と、仕切壁１３，１４，１２の前方に位置して、その他の空間（居間３、玄関７）側に開口する第２収納空間１７，１８，１６とに分割されているので、この第２収納空間１７，１８，１６に使用頻度の高い物を使い勝手よく収納できる。つまり、第２収納空間１７，１８は居間３側に開口しているので、この第２収納空間１７，１８に居間３で使用する使用頻度の高い物を収納することによって、この物を容易に出し入れでき、よって、収納空間としての使い勝手がよくなる。また、第２収納空間１６は玄関７側に開口しているので、この第２収納空間１６に玄関７で使用する使用頻度の高い物を収納することによって、この物を容易に出し入れでき、よって、収納空間としての使い勝手がよくなる。
【００３８】
また、仕切壁１３，１４，１２が、収納空間１５側に奥まって設けられるが、その仕切壁１３，１４，１２の位置を調整することによって、居間３や玄関７で使用し、かつ、収納される物に応じて、使い易い最適な奥行きの第２収納空間１７，１８，１６を設けることができる。
さらに、仕切壁１３，１４，１２が、収納空間６側に奥まって設けられるので、中間床４が仕切壁１３，１４，１２からオーバーハングした状態となるので、中間床４の大きさ、つまり、中間床４上の居室５の広さを容易に調整できる。
【００３９】
また、第２収納空間１７，１８と第２収納空間１６とは、それぞれ異なった空間、つまり居間３と玄関７に開口しているので、第２収納空間１７，１８と第２収納空間１６とにそれぞれ居間３と玄関７で使用する使用頻度の高い物を収納することによって、収納空間としての使い勝手がさらによくなる。
加えて、第２仕切壁２０，２１，２３が仕切壁１３，１４，１２と交差して設けられているので、この第２仕切壁２０，２１，２３によって第２収納空間１７，１８，１６をその幅方向に区画できる。また、第２仕切壁２０，２１，２３が袖壁としても機能するので、中間床４を支持する構造耐力上も有効である。
また、第３収納空間２４が第２収納空間１６に隣接して設けられているので、第１収納空間１５の内壁面に形成される凹所を第３収納空間２４として有効利用できる。つまり、第１収納空間１５の内壁面に、所定大きさの第３収納空間２４を設けることができ、第１収納空間１５に収納する物を第３収納空間２４に分別して収納できる。
さらに、第１収納空間１５および第２収納空間１７，１８の天井高を、０．９ｍ〜１．４ｍに設定したので、人が第１収納空間１５および第２収納空間１７，１８に入って、何とか作業ができる最低限の高さを確保でき、また、このように天井高を必要最小限に抑えることで、建物の高さが高くなることで隣接する建物に日照減少等の影響を極力少なくすることができる。
【００４０】
（第２の実施の形態）
図３および図４は本発明に係る建物の第２実施形態を示すものであり、図３は建物の縦断面図、図４は建物の２階の収納空間の平面図である。
これらの図に示す建物では、図１および図２に示す中間床を２階に設け、この２階に同様の収納空間を設けている。
本実施の形態の建物では、図３および図４に示すように、２階を特定階３１としており、この特定階３１を構成する１階の床を特定床３２としている。特定階（１階）１には、左側に居間３３が設けられており、右側に中間床３４が設けられている。中間床３４は、建物の略右側半分において、特定床３１の上側に設けられている。この中間床３４上には、居室３５が設けられている。また、中間床３４と特定床３２との間は収納空間３６とされ、この収納空間３６の高さは０．９ｍ〜１．４ｍ程度とされている。また、特定階３１には、図４に示すように、収納空間３６を挟んで、居間３３の一部３３ａと階段室３８とが対向して設けられている。階段室３８には１階床と特定階である２階床３２との間に図示しない階段が設けられている。
【００４１】
前記収納空間３６を形成する仕切壁の形状や位置は、図２に示す収納空間６を形成する仕切壁と同様であるので、収納空間３６を形成する仕切壁については、収納空間６を形成する仕切壁と同一符号を付して、その説明を省略する。
【００４２】
本実施の形態の建物によれば、第１の実施の形態と同様に、第２収納空間１７，１８は居間３３側に開口しているので、この第２収納空間１７，１８に居間３３で使用する使用頻度の高い物を収納することによって、この物を容易に出し入れでき、よって、収納空間としての使い勝手がよくなる。また、第２収納空間１６は居間３３の一部３３ａ側に開口しているので、この第２収納空間１６に居間３３の一部３３ａで使用する使用頻度の高い物を収納することによって、この物を容易に出し入れでき、よって、収納空間としての使い勝手がよくなる。
また、仕切壁１３，１４，１２が、収納空間１５側に奥まって設けられるが、その仕切壁１３，１４，１２の位置を調整することによって、居間３や玄関７で使用し、かつ、収納される物に応じて、使い易い最適な奥行きの第２収納空間１７，１８，１６を設けることができる。
さらに、仕切壁１３，１４，１２が、収納空間３６側に奥まって設けられるので、中間床４が仕切壁１３，１４，１２からオーバーハングした状態となるので、中間床３４の大きさ、つまり、中間床３４上の居室３５の広さを容易に調整できる。
【００４３】
また、第２仕切壁２０，２１，２３が仕切壁１３，１４，１２と交差して設けられているので、この第２仕切壁２０，２１，２３によって第２収納空間１７，１８，１６をその幅方向に区画できる。また、第２仕切壁２０，２１，２３が袖壁としても機能するので、中間床４を支持する構造耐力上も有効である。
さらに、第３収納空間２４が第２収納空間１６に隣接して設けられているので、第１収納空間１５の内壁面に形成される凹所を第３収納空間２４として有効利用できる。つまり、第１収納空間１５の内壁面に、所定大きさの第３収納空間２４を設けることができ、第１収納空間１５に収納する物を第３収納空間２４に分別して収納できる。
【００４４】
（第３の実施の形態）
図５は本発明に係る建物の第３実施形態を示すものであり、建物に設けた収納空間の平面図である。この収納空間は、建物のいずれの階にも設けることができる。つまり、建物のある特定階の一部に、中間床を特定階を構成する特定床の上側において設け、この中間床と特定床との間を収納空間としている。
【００４５】
図５に示す本実施の形態における収納空間３８を形成する仕切壁の形状や位置は、図４に示す収納空間３６を形成する仕切壁と共通部分があるので、この共通部分については、収納空間３６を形成する仕切壁と同一符号を付して、その説明を省略する。
収納空間３８を形成する仕切壁が、前記収納空間３６を形成する仕切壁と異なる部分は、仕切壁１２，１４、第２仕切壁２１の構成であるので、以下ではこれら異なる部分について説明する。
仕切壁１４は、図４の場合に比して、収納空間３８の奥側に設けられるとともに、幅も大きくなっており、それに伴って、第２仕切壁２１の幅も大きくなっている。したがって、第２収納空間１８は、図４の場合に比して、その幅および奥行きが大きくなっており、比較的大型の物を居間３３側から収納できるようになっている。第２収納空間１８が大きくなった分、第１収納空間１５への出入口が幅狭となり、したがって、引戸２２の幅も小さくなっている。
【００４６】
また、仕切壁１２は、図４の場合に比して、前方に設けられており、これによって、第２収納空間１６の奥行きが小さくなり、その分、仕切壁１２の後方に、新たな第３収納空間４０が第２収納空間１６に隣接して設けられている。
さらに、第３収納空間２４と居間３３側とを仕切る仕切壁４１が、図４の場合に比して、収納空間３８の奥側に設けられており、これによって、新たな第２収納空間４２が居間３３側に開口して設けられ、その分、第３収納空間２４の奥行きが小さくなっている。
【００４７】
本実施の形態の建物によれば、第２の実施の形態と同様の効果が得られるのは勿論のこと、第２収納空間１８が大きくなっているので、比較的大型の物を居間３３側から出し入れできる。
また、第３収納空間２４，４０がそれぞれ、第２収納空間４２，１６に隣接して設けられているので、第１収納空間１５の内壁面に形成される凹所を第３収納空間２４，４０として有効利用できる。つまり、第１収納空間１５の内壁面に、所定大きさの第３収納空間２４，４０を設けることができ、第１収納空間１５に収納する物を第３収納空間２４，４０に分別して収納できる。さらに、第２収納空間４２が新たに追加されたので、小物等を第２収納空間に出し入れできる。
【００４８】
（第４の実施の形態）
図６は本発明に係る建物の第４実施形態を示すものであり、建物に設けた収納空間の平面図である。この収納空間は、建物のいずれの階にも設けることができる。つまり、建物のある特定階の一部に、中間床を特定階を構成する特定床の上側において設け、この中間床と特定床との間を収納空間としている。
【００４９】
図６に示すように、収納空間４５は、平面視矩形状に形成されており、仕切壁１０，１１，４６〜４９によって仕切られている。
仕切壁１１には、第１収納空間１５に出入りするための開口部が形成され、この開口部は引戸５０によって開閉されるようになっている。
仕切壁４６は、収納空間４５側に奥まって設けられており、これによって、収納空間４５は、仕切壁４６の後方に位置する第１収納空間１５と、仕切壁４６の前方に位置して、居間３３側に開口する第２収納空間１６とに分割されている。
仕切壁４７は、収納空間４５側に奥まって設けられており、これによって、収納空間４５は、仕切壁４７の後方に位置する第１収納空間１５と、仕切壁４７の前方に位置して、居間３３側に開口する第２収納空間５２とに分割されている。また、仕切壁４７は仕切壁４６より奥まった位置に設けられている。
【００５０】
仕切壁４８は、収納空間４５側に奥まって設けられており、これによって、収納空間４５は、仕切壁４８の後方に位置する第１収納空間１５と、仕切壁４８の前方に位置して、居間３３側に開口する第２収納空間５３とに分割されている。
仕切壁４９は、収納空間４５側に奥まって設けられており、これによって、収納空間４５は、仕切壁４９の後方に位置する第１収納空間１５と、仕切壁４９の前方に位置して、居間３３側に開口する第２収納空間５４とに分割されている。また、仕切壁４９は仕切壁４８より奥まった位置に設けられている。
【００５１】
また、仕切壁４６の端部には、第２収納空間５２の奥行き方向と平行な第２仕切壁５５が仕切壁４６と直角に交差して設けられている。また、この第２仕切壁５５は仕切壁４７とも直角に交差している。そして、この第２仕切壁５５によって、第２収納空間５１，５２が左右に仕切られている。
また、仕切壁４８の端部には、第２収納空間５３の奥行き方向と平行な第２仕切壁５６が仕切壁４８と直角に交差して設けられている。また、この第２仕切壁５６は仕切壁４９とも直角に交差している。そして、この第２仕切壁５６によって、第２収納空間５３，５４が左右に仕切られている。
さらに、前記第１収納空間１５には、第３収納空間５７，５８，５９，６０が前記第２収納空間５１，５２，５３，５４に隣接して設けられている。
【００５２】
本実施の形態の建物によれば、第２および第３の実施の形態と同様に、第２収納空間５１，５２，５３，５４は居間３３側に開口しているので、この第２収納空間５１，５２，５３，５４に居間３３で使用する使用頻度の高い物を収納することによって、この物を容易に出し入れでき、よって、収納空間としての使い勝手がよくなる。
また、第２収納空間５１，５２，５３，５４は、平面視矩形状の収納空間４５の外周に沿って設けられているので、居間３３から自由に物を出し入れできる。
【００５３】
また、仕切壁４６，４７，４８，４９が、収納空間４５側に奥まって設けられるが、その仕切壁４６，４７，４８，４９の位置を調整することによって、居間３３で使用し、かつ、収納される物に応じて、使い易い最適な奥行きの第２収納空間５１，５２，５３，５４を設けることができる。
さらに、仕切壁４６，４７，４８，４９が、収納空間４５側に奥まって設けられるので、この収納空間４５上の中間床４が仕切壁４６，４７，４８，４９からオーバーハングした状態となるので、中間床の大きさ、つまり、中間床上の居室の広さを容易に調整できる。
【００５４】
また、第２仕切壁５５が仕切壁４６，４７と交差して設けられているので、この第２仕切壁５５によって、第２収納空間５１，５２を左右（幅方向）に区画できる。同様に、第２仕切壁５６が仕切壁４８，４９と交差して設けられているので、この第２仕切壁５６によって、第２収納空間５３，５４を左右（幅方向）に区画できる。
また、第２仕切壁５５，５６が袖壁としても機能するので、中間床を支持する構造耐力上も有効である。
さらに、第３収納空間５７，５８，５９，６０が第２収納空間５１，５２，５３，５４に隣接して設けられているので、第１収納空間１５の内壁面に形成される凹所を第３収納空間５７，５８，５９，６０として有効利用できる。つまり、第１収納空間１５の内壁面に、所定大きさの第３収納空間５７，５８，５９，６０を設けることができ、第１収納空間１５に収納する物を第３収納空間５７，５８，５９，６０に分別して収納できる。
【００５５】
（第５の実施の形態）
図７は本発明に係る建物の第５実施形態を示すものであり、建物に設けた収納空間の一部を示す縦断面図である。この実施の形態では、例えば、図１に示す建物の中間床４と特定床（１階床）２との間にある収納空間６の第２収納空間１７に、収納家具６１が設けられている。
この収納家具６１は、例えば引き出しを複数備えた箪笥であり、この収納家具６１の大きさは、第２収納空間１７とほぼ等しくなっている。したがって、この第２収納空間１７に収納家具６１をはめ込んだ状態では、収納家具６１の前面が居室５の壁５ａとほぼ面一となっている。
【００５６】
本実施の形態によれば、第１実施の形態と同様の効果を得ることができるのは勿論のこと、第２収納空間１７に収納家具６１が設けられているので、第２収納空間１７に収納する複数の物を整理整頓して収納家具６１に収納できる。また、第２収納空間１７に収納家具６１が設けられることによって、この収納家具６１は壁面埋込み型となるので、この収納家具６１を、居間３３に設置しなくても、居間３３側から使用できる。
【００５７】
（第６の実施の形態）
図８は本発明に係る建物の第６実施形態を示すものであり、建物に設けた収納空間の一部を示す縦断面図である。この実施の形態では、例えば、図１に示す建物の中間床４と特定床（１階床）２との間にある収納空間６の第２収納空間１７に、流し台（設備機器）６２が設けられている。
図２においては、第２収納空間１７の前方は居間３であるが、例えば、第２収納空間１７の前方にキッチンがある場合に、第２収納空間１７に、流し台６を設ける。この流し台６の上面と、第２収納空間１７の天井面との間には、作業用の空間が設けられている。
【００５８】
本実施の形態によれば、第１実施の形態と同様の効果を得ることができるのは勿論のこと、第２収納空間１７に流し台６２が設置されているので、この流し台６２をキッチンに設置しなくてもよく、よって、キッチンがスッキリとしたものとなる。
【００５９】
（第７の実施の形態）
図９は本発明に係る建物の第７実施形態を示すものであり、建物に設けた収納空間の一部を示す縦断面図である。この実施の形態では、例えば、図１に示す建物の中間床４と特定床（１階床）２との間にある収納空間６の第２収納空間１７に、移動可能な家具６３が設けられている。
移動可能な家具６３は、回転移動可能なベッド６３であり、立て起こすことによって第２収納空間１７に納まり、その状態から寝かすようにして回転させることによって、一部が第２収納空間１７から出るようになっている。
また、ベッド６３は、立て起こして第２収納空間１７に収納した状態では、ベッド６３の底面６３ａが、居室５の壁５ａとほぼ面一となっている。
【００６０】
本実施の形態によれば、第１実施の形態と同様の効果を得ることができるのは勿論のこと、第２収納空間１７に、回転移動可能なベッド６３が設置されているので、第２収納空間１７からベッド６３を居間３３側に移動させて、この居間３３で使用でき、また、使用後はベッド６３を第２収納空間１７に容易に収納できる。そして、この収納状態では、壁５ａとベッド６３の底面とが面一となるので、居間３３の壁面がスッキリとしたものとなる。
【００６１】
（第８の実施の形態）
図１０は本発明に係る建物の第８実施形態を示すものであり、建物の縦断面図である。この実施の形態では、例えば、図３に示す建物の中間床３４と特定床（２階床）３２との間にある収納空間３６の第２収納空間１７に、収納家具６４がその一部を居間３３側に突出させて設置されており、この収納家具６４の突出している部分は、特定床３２から中間床３４より上方に連続している。
つまり、収納家具６４は、幅広の下段部６４ａと、幅狭の上段部６４ｂとから構成されており、下段部６４ａは第２収納空間１７に前部を突出させた状態ではめ込まれており、上段部６４ｂは居室３５の壁３５ａに沿って、中間床３４より上方に連続している。
【００６２】
本実施の形態によれば、収納家具６４を特定床３２と中間床３４の双方の床上から使用できる。なお、中間床３３上から、つまり居室３５から収納家具６４を使用する場合、例えば、壁３５ａに開口部を形成し、この開口部を通して収納家具６４の上段部６４ｂを使用すればよい。
また、居間３３側から見ると、収納家具６４の前面が面一でありながら奥行きの異なる２種類の収納（下段部６４ａと上段部６４ｂ）を設けることができる。
【００６３】
なお、上記の第１実施形態〜第８実施形態においては、それぞれの第２収納空間は居間等のその他の空間側に開口させたが、この開口を開閉するような戸を適宜設けてもよい。このような戸によって第２収納空間の開口部を閉じることによって、第２収納空間の内部を隠すことができるので、第２収納空間に隣接する居間等のその他の空間がスッキリしたものとなる。
【図面の簡単な説明】
【００６４】
【図１】本発明に係る建物の第１の実施形態を示すものであり、建物の縦断面図である。
【図２】同、建物の１階の平面図である。
【図３】本発明に係る建物の第２の実施形態を示すものであり、建物の縦断面図である。
【図４】同、建物の収納空間を示す平面図である。
【図５】本発明に係る建物の第３の実施形態を示すものであり、建物の収納空間を示す平面図である。
【図６】本発明に係る建物の第４の実施形態を示すものであり、建物の収納空間を示す平面図である。
【図７】本発明に係る建物の第５の実施形態を示すものであり、建物の収納空間を示す縦断面図である。
【図８】本発明に係る建物の第６の実施形態を示すものであり、建物の収納空間を示す縦断面図である。
【図９】本発明に係る建物の第７の実施形態を示すものであり、建物の収納空間を示す縦断面図である。
【図１０】本発明に係る建物の第８実施形態を示すものであり、建物の縦断面図である。
【符号の説明】
【００６５】
１，３１  特定階
２，３２  特定床
３，３３  居間（その他の空間）
４，３４  中間床
６，３６，３８，４５  収納空間
７  玄関（その他の空間）
１０〜１４，４１，４６〜４９  仕切壁
１５  第１収納空間
１６〜１８，４２，５１〜５４  第２収納空間
２０，２１，２３，５５，５６  第２仕切壁
２４，４０，５７〜６０  第３収納空間
６１，６４  収納家具
６２  流し台（設備機器）
６３  ベッド（移動可能な家具）
【図１】
2005325594.tif 000003
【図２】
2005325594.tif 000004
【図３】
2005325594.tif 000005
【図４】
2005325594.tif 000006
【図５】
2005325594.tif 000007
【図６】
2005325594.tif 000008
【図７】
2005325594.tif 000009
【図８】
2005325594.tif 000010
【図９】
2005325594.tif 000011
【図１０】
2005325594.tif 000012